(57)【要約】【課題】電子機器のセンサやヘッドに付着したシート状の異物を除去することができる異物除去カードを提供する。【解決手段】電子機器に備えられ、下壁面１０１Ｌと上壁面１０１Ｕとで規定される搬送路高Ｈ101を有し、カード型記憶媒体を搬送するための搬送路１０１に挿入され、搬送路１０１内を搬送中に下壁面１０１Ｌに滞留した異物を除去する異物除去カードであって、カード型記憶媒体と同幅の板状を呈する本体１１と、搬送路１０１に挿入されたときに、本体１１から搬送路１０１の奥行方向Ｙｒおよび下壁面１０１Ｌに向かって斜めに、かつ、本体１１と同幅で延在し、先端縁１２ｅが下壁面１０１Ｌを押圧する押圧部１２とを有している。【選択図】図４
2020119286.tif 000002
【特許請求の範囲】
【請求項１】
電子機器に備えられ、下壁面と上壁面とで規定される搬送路高を有し、カード型記憶媒体を搬送するための搬送路に挿入され、該搬送路内を搬送中に前記下壁面に滞留した異物を除去する異物除去カードであって、
前記カード型記憶媒体と同幅の板状を呈する本体と、
前記搬送路に挿入されたときに、前記本体から挿入方向および前記下壁面に向かって斜めに、かつ、前記本体と同幅で延在し、先端縁が前記下壁面を押圧する押圧部と、を有する、異物除去カード。
【請求項２】
前記押圧部は、
前記本体と共に、弾性を有する単一部材を構成しており、かつ、
前記本体の幅方向に延在する屈曲線を基点として、前記搬送路高よりも大きい屈曲高さで屈曲している、請求項１に記載の異物除去カード。
【請求項３】
前記搬送路に挿入されたときに前記下壁面および前記上壁面のそれぞれに接する部分にフェルト材が設けられている、請求項２に記載の異物除去カード。
【請求項４】
前記押圧部は、前記本体の前記搬送路の前記下壁面を臨む裏面に設けられた弾性を有するブラシによって構成されている、請求項１に記載の異物除去カード。
【請求項５】
前記本体は、前記カード型記憶媒体と同厚であり、
前記押圧部の厚さは、前記搬送路に挿入されたカード型記憶媒体の裏面と前記下壁面との離間距離よりも厚い、請求項４に記載の異物除去カード。
【請求項６】
前記搬送路に挿入されたときに、前記本体と前記押圧部との前記挿入方向に沿った合計長は、前記カード型記憶媒体の前記挿入方向に沿った長さ以上である、請求項１〜５のいずれか一項に記載の異物除去カード。
【請求項７】
前記搬送路に挿入されたときに、前記本体から挿入方向および前記上壁面に向かって斜めに、かつ、前記本体と同幅で延在し、先端縁が前記上壁面を押圧する第２の押圧部をさらに有し、
前記第２の押圧部は、前記本体の前記搬送路の前記上壁面を臨むおもて面に設けられた弾性を有する第２のブラシによって構成されている、請求項４に記載の異物除去カード。
【請求項８】
前記本体、前記押圧部および前記第２の押圧部の合計厚は、前記搬送路高よりも厚い、請求項７に記載の異物除去カード。
【請求項９】
前記搬送路に挿入されたときに、前記本体と前記押圧部との前記挿入方向に沿った合計長と、前記本体と前記第２の押圧部との前記挿入方向に沿った合計長とは、互いに等しく、各合計長は、前記カード型記憶媒体の前記挿入方向に沿った長さ以上である、請求項７または８に記載の異物除去カード。
【請求項１０】
請求項１〜９に記載の異物除去カードが適用される電子機器であって、
前記搬送路中にカード型記憶媒体が存在すること、もしくは、前記搬送路におけるカード型記憶媒体の位置を検出する媒体センサと、
前記下壁面の前記挿入方向における前記媒体センサよりも後方に設けられ、前記搬送路を搬送中の前記異物除去カードの前記押圧部によって該下壁面から剥離された異物を投下することが可能な孔部と、を有する電子機器。
【発明の詳細な説明】
【技術分野】
【０００１】
本発明は、異物除去カードに関する。
【背景技術】
【０００２】
キャッシュカード等のカード型記憶媒体を利用する電子機器として、例えば、ＡＴＭ（Automated Teller Machine）等の自動取引装置が知られている。この種の電子機器は一般に、カード型記憶媒体の搬送路と、駆動ローラおよび従動ローラ等を備え、搬送路においてカード型記憶媒体を搬送する搬送機構と、搬送路の上下壁面に露出し、搬送路におけるカード型記憶媒体の位置を例えば光学的に検出するセンサと、搬送路の下壁面に露出し、カード型記憶媒体に対してデータの読み書きのうち、少なくとも読み出しを例えば磁気的に行うヘッドとを有している。
【０００３】
この種の電子機器を使用していく上で、搬送路内にカード型記憶媒体の入り口から塵埃等の異物が侵入することがある。さらに、搬送路内に侵入した異物は、センサやヘッドの表面に付着することがある。異物がセンサやヘッドの表面に付着すると、電子機器の動作に支障を来す虞がある。とりわけ、この種の電子機器のメインテナンスや修理を行うことができる者が常駐していないコンビニエンスストア等に設置された電子機器の場合には、電子機器の稼働を長時間に亘って休止せざるを得ず、大変不都合である。
【０００４】
これに対し、特許文献１〜４には、カード状を呈し、搬送方向に直交する方向に延在する円弧状または三角状の断面形状を有する凸状部と、少なくとも凸状部の表面に設けられた不織布とを備えたクリーニングカードが開示されている。これらクリーニングカードは、カード型記憶媒体と同様に電子機器の搬送路内を搬送される時に、センサやヘッドの表面を凸状部に設けられた不織布によって自動的に拭き掃除するものであり、この種の電子機器のメインテナンスや修理を行うことができる者でなくとも、塵埃を清掃することが可能である。
【先行技術文献】
【特許文献】
【０００５】
【特許文献１】特開２００８−２５７７７０号公報
【特許文献２】特開２００６−１３９６９０号公報
【特許文献３】特開２００４−１１８８９３号公報
【特許文献４】特開平０６−２３１４３１号公報
【発明の概要】
【発明が解決しようとする課題】
【０００６】
ところで、この種の電子機器の搬送路内に侵入してセンサやヘッドの表面に付着し得る異物としては、塵埃の他に、カード型記憶媒体と重なった状態で誤挿入された後、搬送路の下壁面に滞留する切手やレシートなどのシート状の異物も有り得る。
【０００７】
特許文献１〜４に開示されたクリーニングカードは、塵埃とは異なり、シート状の異物については清掃することができないと考えられる。そのため、電子機器のメインテナンスや修理を行うことができる者でなくとも、センサやヘッドに付着したシート状の異物を除去することができる治具類が望まれる。
【０００８】
本発明の目的は、電子機器のセンサやヘッドに付着したシート状の異物を除去することができる異物除去カードを提供することである。
【課題を解決するための手段】
【０００９】
本発明によれば、電子機器に備えられ、下壁面と上壁面とで規定される搬送路高を有し、カード型記憶媒体を搬送するための搬送路に挿入され、該搬送路内を搬送中に前記下壁面に滞留した異物を除去する異物除去カードであって、前記カード型記憶媒体と同幅の板状を呈する本体と、前記搬送路に挿入されたときに、前記本体から挿入方向および前記下壁面に向かって斜めに、かつ、前記本体と同幅で延在し、先端縁が前記下壁面を押圧する押圧部と、を有する、異物除去カードが得られる。
【００１０】
本発明によればまた、前記異物除去カードが適用される電子機器であって、前記搬送路中にカード型記憶媒体が存在すること、もしくは、前記搬送路におけるカード型記憶媒体の位置を検出する媒体センサと、前記下壁面の前記挿入方向における前記媒体センサよりも後方に設けられ、前記搬送路を搬送中の前記異物除去カードの前記押圧部によって該下壁面から剥離された異物を投下することが可能な孔部と、を有する電子機器が得られる。
【発明の効果】
【００１１】
本発明による異物除去カードは、電子機器のセンサやヘッドに付着したシート状の異物を除去することができる。
【図面の簡単な説明】
【００１２】
【図１】カード型記憶媒体の斜視図である。
【図２】本発明の第１の実施形態による異物除去カードの斜視図である。
【図３】本発明の第１の実施形態による異物除去カードの側面図である。
【図４】電子機器の搬送路に挿入された本発明の第１の実施形態による異物除去カードの側面図である。
【図５】（ａ）〜（ｃ）は本発明の第１の実施形態による異物除去カードの動作を説明するための図である。
【図６】本発明の第２の実施形態による異物除去カードの側面図である。
【図７】本発明の第３の実施形態による異物除去カードの側面図である。
【発明を実施するための形態】
【００１３】
以下、図面を参照して、本発明による異物除去カード、ならびに、本異物除去カードが適用される電子機器を説明する。本実施形態において、電子機器としては、コンビニエンスストアに設置され、カード型記憶媒体としてのキャッシュカードに対してデータの読み書きを行う自動取引装置を例に挙げる。
【００１４】
図４ならびに図５（ａ）〜（ｃ）中、符号Ｘは自動取引装置である電子機器１００が備える、カード型記憶媒体６０用の搬送路１０１の幅方向（左方向Ｘｌ、右方向Ｘｒを含む）を示し、符号Ｚは搬送路１０１の高さ方向（下方向Ｚｌ、上方向Ｚｕを含む）を示し、符号Ｙは搬送路１０１の奥行方向（前方向Ｙｆ、後ろ方向Ｙｒを含む）を示している。本異物除去カードは、その長さ方向が搬送路１０１の奥行方向Ｙに沿うように挿入、搬送、ならびに排出される。即ち、搬送路１０１への挿入方向は後ろ方向Ｙｒと同じであり、搬送路１０１からの排出方向は前方向Ｙｆと同じである。
【００１５】
図１は、カード型記憶媒体（キャッシュカード）６０の斜視図である。カード型記憶媒体６０は、ポリプロピレン等の弾性を有する樹脂から成り、所定の幅（Ｗ60）、長さ（Ｌ60）、厚さ（ｔ60）を有している。カード型記憶媒体６０はまた、図示はしないが、データを記憶する記憶素子あるいは磁性体層を内蔵している。
【００１６】
［第１の実施形態］
図２〜図５を参照すると、本実施形態による異物除去カード１０は、搬送路１０１に挿入され、搬送路１０１内を搬送中に下壁面１０１Ｌに滞留した異物９０１を除去するものである。
【００１７】
搬送路１０１は、自動取引装置である電子機器１００に備えられ、下壁面１０１Ｌと上壁面１０１Ｕとで規定される搬送路高Ｈ101を有し、カード型記憶媒体６０（図１）を、対のローラ１０２Ｌおよび１０２Ｕならびに対のローラ１０３Ｌおよび１０３Ｕによって奥行方向Ｙに搬送するための通路である。尚、対のローラ１０２Ｌおよび１０２Ｕの一方は駆動ローラであり、他方は従動ローラである。同様に、対のローラ１０３Ｌおよび１０３Ｕの一方は駆動ローラであり、他方は従動ローラである。
【００１８】
搬送路１０１には、搬送路１０１におけるカード型記憶媒体６０の有無もしくは奥行方向Ｙにおける位置を光学的に検出するためのラインセンサが設けられている。ラインセンサは、発光素子１０４Ｔと受光素子１０４Ｒとから成り、発光素子１０４Ｔから下方向Ｚｌに照射される検出光が受光素子１０４Ｒによって受光されるように構成されている。両素子間が遮光されたときは、搬送路１０１の奥行方向Ｙにおけるラインセンサの位置にカード型記憶媒体６０が存在すると検出する。一方、両素子間が通光されたときは、搬送路１０１の奥行方向Ｙにおけるラインセンサの位置にカード型記憶媒体６０が存在しないと検出する。
【００１９】
尚、図示はしないが、搬送路１０１の下壁面１０１Ｌおよび上壁面１０１Ｕのうちの少なくとも下壁面１０１Ｌには、カード型記憶媒体６０が備える記憶素子あるいは磁性体層に対してデータの読み書きを行うヘッドが設けられている。
【００２０】
また、図５（ａ）〜（ｃ）に示すように、搬送路１０１の下壁面１０１Ｌには、異物を投下（回収）するためのスロット（孔部）１０６が設けられている。
【００２１】
本異物除去カード１０は、本体１１と、押圧部１２とを有している。本体１１は、カード型記憶媒体６０と同幅（Ｗ10＝Ｗ60）かつ同厚（ｔ11＝ｔ60）の板状を呈している。押圧部１２は、搬送路１０１に挿入されたときに、本体１１から搬送路１０１の奥行方向Ｙｒおよび下壁面１０１Ｌに向かって斜めに、かつ、本体１１と同幅（Ｗ10）かつ同厚（ｔ12＝ｔ11）で延在し、先端縁１２ｅが下壁面１０１Ｌを押圧する。
【００２２】
本体１１は、ポリプロピレン等の弾性を有する樹脂から成っている。押圧部１２は、本体１１と同材質から成り、本体１１と共に単一部材を構成している。押圧部１２は、本体１１の幅方向に沿って延在する屈曲線１２ｃを基点として、搬送路高Ｈ101よりも大きい屈曲高さＨ10で屈曲している（Ｈ10＞Ｈ101）。
【００２３】
また、本異物除去カード１０は、搬送路１０１に挿入されたときに、本体１１と押圧部１２との搬送路１０１の奥行方向Ｙに沿った合計長Ｌ10が、カード型記憶媒体６０の搬送路１０１の奥行方向Ｙに沿った長さＬ60以上である（Ｌ10≧Ｌ60）。
【００２４】
尚、本発明による異物除去カードは、搬送路に挿入されたときに下壁面および上壁面のそれぞれに接する部分にフェルト材が設けられていてもよい。そのように構成することにより、関連技術によるクリーニングカードと同様に、搬送路の下壁面および上壁面に付着した塵埃等の異物をクリーニングすることができる。
【００２５】
次に、本異物除去カード１０の動作を説明する。
【００２６】
搬送路１０１の下側壁面１０１Ｌの受光素子１０４Ｒが設けられた領域に、シート状の異物９０１が付着していると仮定する。この状態では、ラインセンサの発光素子１０４Ｔから照射される検出光は、異物９０１によって遮光され、受光素子１０４Ｒによって受光されず、搬送路１０１の奥行方向Ｙにおけるラインセンサの位置に、カード型記憶媒体６０（図１）が存在すると誤検出する。
【００２７】
図５（ａ）に示すように、異物除去カード１０を搬送路１０１に圧入するように挿入する。
【００２８】
次いで、図５（ｂ）に示すように、搬送路１０１に挿入された異物除去カード１０は、搬送路高Ｈ101（図４）に応じて弾性変形した状態で、対のローラ１０２Ｌおよび１０２Ｕによって後ろ方向Ｙｒに搬送される。このとき、異物除去カード１０は、先端縁１２ｅが下側壁面１０１Ｌを押圧しながら搬送されるため、異物９０１は、下側壁面１０１Ｌから削ぎ上げられ、後ろ方向Ｙｒに移動されていく。
【００２９】
続いて、図５（ｃ）に示すように、異物除去カード１０は、弾性変形した状態で対のローラ１０３Ｌおよび１０３Ｕによってさらに後ろ方向Ｙｒに搬送される。そして、先端縁１２ｅによって後ろ方向Ｙｒに移動される異物９０１は、下側壁面１０１Ｌに設けられたスロット１０６に投下される。この状態では、ラインセンサの発光素子１０４Ｔから照射される検出光は、通光され、受光素子１０４Ｒによって受光され、搬送路１０１の奥行方向Ｙにおけるラインセンサの位置に、カード型記憶媒体６０（図１）が存在しないと検出する。
【００３０】
この後、異物除去カード１０は、対のローラ１０３Ｌおよび１０３Ｕならびに対のローラ１０２Ｌおよび１０２Ｕによって前方向Ｙｆに搬送され、搬送路１０１から排出される。
【００３１】
尚、異物除去カード１０の、搬送路１０１に挿入されたときに下壁面１０１Ｌおよび上壁面１０１Ｕのそれぞれに接する部分にフェルト材が設けられている場合には、搬送路１０１の下壁面１０１Ｌおよび上壁面１０１Ｕに付着した塵埃等の異物がクリーニングされる。
【００３２】
［第２の実施形態］
本発明の第２の実施形態は、押圧部がブラシから成る点で第１の実施形態とは異なる。よって、第２の実施形態の、第１の実施形態と同一もしくは同様の構成については、図面も含めて第１の実施形態の説明を援用することとし、詳細な説明を省略する。
【００３３】
図６を参照すると、本発明の第２の実施形態による異物除去カード２０は、第１の実施形態の異物除去カードと同様に、自動取引装置である電子機器１００（図５）が備えるカード型記憶媒体６０（図１）用の搬送路１０１（図５）に挿入され、搬送路１０１内を搬送中に下壁面１０１Ｌに滞留した異物９０１を除去するものである。
【００３４】
本異物除去カード２０は、本体２１と、押圧部２２とを有している。本体２１は、カード型記憶媒体６０と同幅（Ｗ60）、同じ長さ（Ｌ21＝Ｌ60）、同厚（ｔ21＝ｔ60）の板状を呈している。押圧部２２は、搬送路１０１に挿入されたときに、本体２１から搬送路１０１の奥行方向Ｙｒおよび下壁面１０１Ｌに向かって斜めに、かつ、本体２１と同幅（Ｗ10）で延在し、先端縁２２ｅが下壁面１０１Ｌを押圧する。
【００３５】
本体２１は、ポリプロピレン等の弾性を有する樹脂から成っている。ただし、本実施形態において、本体は弾性を有さない樹脂から成っていてもよい。押圧部２２は、本体２１の搬送路１０１の下壁面１０１Ｌを臨む裏面に設けられた弾性を有するブラシによって構成されている。
【００３６】
押圧部２２の厚さ（ブラシの高さ）Ｈ22は、搬送路１０１に挿入されたカード型記憶媒体６０の裏面と下壁面１０１Ｌとの離間距離よりも厚い。
【００３７】
また、本異物除去カード２０は、搬送路１０１に挿入されたときに、本体２１と押圧部２２との搬送路１０１の奥行方向Ｙに沿った合計長Ｌ20が、カード型記憶媒体６０の搬送路１０１の奥行方向Ｙに沿った長さＬ60以上である（Ｌ20≧Ｌ60）。
【００３８】
本異物除去カード２０も異物除去カード１０と同様に、搬送路１０１の下壁面１０１Ｌに滞留したシート状の異物を除去することができる。
【００３９】
即ち、搬送路の下側壁面の受光素子が設けられた領域に、シート状の異物が付着していると仮定する。この状態では、ラインセンサの発光素子から照射される検出光は、異物によって遮光され、受光素子によって受光されず、搬送路の奥行方向におけるラインセンサの位置に、カード型記憶媒体６０（図１）が存在すると誤検出する。
【００４０】
異物除去カード２０は、搬送路に圧入するように挿入される。
【００４１】
次いで、搬送路に挿入された異物除去カード２０は、ブラシから成る押圧部２２が搬送路高に応じて弾性変形した状態で、対のローラによって後ろ方向に搬送される。このとき、異物除去カード２０は、先端縁２２ｅが下側壁面を押圧しながら搬送されるため、シート状の異物は、下側壁面から削ぎ上げられ、後ろ方向に移動されていく。
【００４２】
続いて、異物除去カード２０は、ブラシから成る押圧部２２が弾性変形した状態で対のローラによってさらに後ろ方向に搬送される。そして、先端縁２２ｅによって後ろ方向に移動されるシート状の異物は、下側壁面に設けられたスロットに投下される。この状態では、ラインセンサの発光素子から照射される検出光は、通光され、受光素子によって受光され、搬送路の奥行方向におけるラインセンサの位置に、カード型記憶媒体６０（図１）が存在しないと検出する。
この後、異物除去カード２０は、対のローラによって前方向に搬送され、搬送路から排出される。
【００４３】
［第３の実施形態］
本発明の第３の実施形態は、本体の表裏両面にブラシから成る押圧部を備えている点で第２の実施形態とは異なる。よって、第３の実施形態の、第２の実施形態と同一もしくは同様の構成については、図面も含めて第２の実施形態の説明を援用することとし、詳細な説明を省略する。
【００４４】
図７を参照すると、本発明の第３の実施形態による異物除去カード３０は、第２の実施形態の異物除去カードと同様に、自動取引装置である電子機器１００（図５）が備えるカード型記憶媒体６０（図１）用の搬送路１０１（図５）に挿入され、搬送路１０１内を搬送中に下壁面１０１Ｌに滞留した異物９０１を除去するものである。
【００４５】
本異物除去カード３０は、本体３１と、押圧部３２と、第２の押圧部３３とを有している。本体３１は、カード型記憶媒体６０と同幅（Ｗ60）、同じ長さ（Ｌ31＝Ｌ60）、同厚（ｔ31＝ｔ60）の板状を呈している。押圧部３２は、搬送路１０１に挿入されたときに、本体３１から搬送路１０１の奥行方向Ｙｒおよび下壁面１０１Ｌに向かって斜めに、かつ、本体３１と同幅（Ｗ10）で延在し、先端縁３２ｅが下壁面１０１Ｌを押圧する。第２の押圧部３３は、本体３１から搬送路１０１の奥行方向Ｙｒおよび上壁面１０１Ｕに向かって斜めに、かつ、本体３１と同幅（Ｗ10）で延在し、先端縁３３ｅが上壁面１０１Ｕを押圧する。
【００４６】
本体３１は、ポリプロピレン等の弾性を有する樹脂から成っている。ただし、本実施形態において、本体は弾性を有さない樹脂から成っていてもよい。押圧部３２は、本体３１の搬送路１０１の下壁面１０１Ｌを臨む裏面に設けられた弾性を有するブラシによって構成されている。第２の押圧部３３は、本体３１の搬送路１０１の上壁面１０１Ｕを臨むおもて面に設けられた弾性を有する第２のブラシによって構成されている。
【００４７】
本異物除去カード３０の本体３１、押圧部３２および第２の押圧部３３の合計厚Ｈ30は、搬送路高Ｈ101（図４）よりも厚い（Ｈ30＞Ｈ101）。
【００４８】
また、本異物除去カード３０は、搬送路１０１に挿入されたときに、本体３１と押圧部３２との搬送路１０１の奥行方向Ｙに沿った合計長と、本体３１と第２の押圧部３３との搬送路１０１の奥行方向Ｙに沿った合計長とは、互いに等しく、各合計長（Ｌ30）は、カード型記憶媒体６０の挿入方向に沿った長さ以上である（Ｌ30≧Ｌ60）。
【００４９】
本異物除去カード３０も異物除去カード２０と同様に、搬送路の下壁面に滞留したシート状の異物を除去することができる。
【００５０】
即ち、搬送路の下側壁面の受光素子が設けられた領域に、シート状の異物が付着していると仮定する。この状態では、ラインセンサの発光素子から照射される検出光は、異物によって遮光され、受光素子によって受光されず、搬送路の奥行方向におけるラインセンサの位置に、カード型記憶媒体６０（図１）が存在すると誤検出する。
【００５１】
異物除去カード３０は、搬送路に圧入するように挿入される。
【００５２】
次いで、搬送路に挿入された異物除去カード３０は、それぞれブラシから成る押圧部３２および第２の押圧部３３が搬送路高に応じて弾性変形した状態で、対のローラによって後ろ方向に搬送される。このとき、異物除去カード３０は、先端縁３２ｅが下側壁面を押圧しながら、かつ、先端縁３３ｅが上側壁面を押圧しながら、搬送されるため、シート状の異物が下側壁面から削ぎ上げられて後ろ方向に移動されていくと共に、上壁面に付着した塵埃等の異物がクリーニングされる。
【００５３】
続いて、異物除去カード３０は、ブラシから成る押圧部３２が弾性変形した状態で対のローラによってさらに後ろ方向に搬送される。そして、先端縁３２ｅによって後ろ方向に移動されるシート状の異物は、下側壁面に設けられたスロットに投下される。この状態では、ラインセンサの発光素子から照射される検出光は、通光され、受光素子によって受光され、搬送路の奥行方向におけるラインセンサの位置に、カード型記憶媒体６０（図１）が存在しないと検出する。
この後、異物除去カード３０は、対のローラによって前方向に搬送され、搬送路から排出される。
【符号の説明】
【００５４】
１０、２０、３０    異物除去カード
１１、２１、３１    本体
１２、２２、３２    押圧部
３３    第２の押圧部
１２ｅ、２２ｅ、３２ｅ、３３ｅ  先端縁
１２ｃ  屈曲線
６０    カード型記憶媒体
１００    電子機器
１０１    搬送路
１０１Ｌ  下壁面
１０１Ｕ  上壁面
１０２Ｌ、１０２Ｕ  対のローラ
１０３Ｌ、１０３Ｕ  対のローラ
１０４Ｔ  発光素子
１０４Ｒ  受光素子
１０６    スロット（孔部）
９０１    異物
【図１】
2020119286.tif 000003
【図２】
2020119286.tif 000004
【図３】
2020119286.tif 000005
【図４】
2020119286.tif 000006
【図５】
2020119286.tif 000007
【図６】
2020119286.tif 000008
【図７】
2020119286.tif 000009